(57)【要約】【課題】投射型表示装置を駆動させているにもかかわらず、レンズカバーの開放のし忘れ、或いは故障などによりレンズカバーが開口を閉塞した状態のままであっても、レンズカバーが熱により変形しないようにする。【解決手段】投射型表示装置１における投射レンズ１８の前玉レンズ３１を外部に臨ませる開口４を有する外筐２の前面パネル３に支持され上記開口を開閉するレンズカバー６０であって、透明な合成樹脂で形成され、上記前玉レンズに対向する部分及び／又はその外側の部分に半透明な塗膜６２を形成する。【選択図】　　　　　図８
2004012972.tif 000002
【特許請求の範囲】
【請求項１】
投射型表示装置における投射レンズの前玉レンズを外部に臨ませる開口を有する外筐の前面部に支持され上記開口を開閉するレンズカバーであって、
投射レンズから投射された光の一部を透過させるようにした
ことを特徴とするレンズカバー。
【請求項２】
透明な合成樹脂で形成され、
上記前玉レンズに対向する部分及び／又はその外側の部分に半透明な塗膜が形成された
ことを特徴とする請求項１に記載のレンズカバー。
【請求項３】
透明な合成樹脂で形成され、
上記前玉レンズに対向する部分及び／又はその外側の部分に微少な凹凸が形成された
ことを特徴とする請求項１に記載のレンズカバー。
【請求項４】
半透明な合成樹脂で形成された
ことを特徴とする請求項１に記載のレンズカバー。
【請求項５】
光源部と、該光源部から照射された光を画像信号によって変調する変調手段と、該変調手段によって変調された光を投射する投射レンズと、これらを覆うと共に上記投射レンズの前玉レンズを外部に臨ませる開口が形成された前面部を有する外筐とを備えた投射型表示装置であって、
上記外筐の前面部には上記開口を開閉するレンズカバーが支持されており、
上記レンズカバーを投射レンズから投射された光の一部を透過させるように形成した
ことを特徴とする投射型表示装置。
【請求項６】
上記レンズカバーを透明な合成樹脂で形成すると共に、
上記前玉レンズに対向する部分及び／又はその外側の部分に半透明な塗膜を形成した
ことを特徴とする請求項５に記載の投射型表示装置。
【請求項７】
上記レンズカバーを透明な合成樹脂で形成すると共に、
上記前玉レンズに対向する部分及び／又はその外側の部分に微少な凹凸を形成した
ことを特徴とする請求項５に記載の投射型表示装置。
【請求項８】
上記レンズカバーを半透明な合成樹脂で形成した
ことを特徴とする請求項５に記載の投射型表示装置。
【発明の詳細な説明】
【０００１】
【発明の属する技術分野】
本発明は、レンズカバー及びこれを用いた投射型表示装置に関する。詳しくは、投射型表示装置における投射レンズの前玉レンズを保護するレンズカバーの変形を防止する技術に関する。
【０００２】
【従来の技術】
投射型表示装置にあっては、その投射レンズの前玉レンズの保護のため、投射型表示装置の外筐又はレンズ鏡筒に着脱自在に設けられたレンズキャップがあるが、このようなレンズキャップは、投射型表示装置の使用時に、上記外筐又はレンズ鏡筒から取り外されるため、紛失してしまう虞がある。
【０００３】
そこで、投射レンズの全体を外筐内に配置し、投射レンズの前玉レンズを外部に臨ませる開口を前面パネルに形成し、該前面パネルに上記開口を開閉するレンズカバーを移動自在に支持すれば、上述したレンズキャップと異なり紛失するという事故は生じない。
【０００４】
そして、上記したレンズカバーには、手動でレンズカバーを開放方向へ移動させるもの（手動開閉タイプ）や投射型表示装置のメインスイッチの投入で開閉機構により自動的に開放位置へ移動されるもの（自動開閉タイプ）がある。
【０００５】
また、このようなレンズカバーは、材料自体が濃色系の合成樹脂又は濃色系の色素を混入させた合成樹脂で形成されるのが一般的である。
【０００６】
【発明が解決しようとする課題】
ところで、投射型表示装置の光源部が駆動されているときに、レンズカバーを閉塞したままでいると、投射型表示装置の光源部からの光が、投射レンズを通してレンズカバーに照射されてレンズカバーを高温にしてしまう。
【０００７】
投射型表示装置を駆動させているにもかかわらず、レンズカバーが閉塞状態になっている場合とは、例えば、手動開閉タイプのレンズカバーにあっては開放し忘れた場合であり、また、自動開閉タイプのレンズカバーにあっては、開閉機構の故障の場合などが考えられる。
【０００８】
そして、従来のように、レンズカバーを材料自体が濃色系の合成樹脂又は濃色系の色素を混入させた合成樹脂で形成されている場合、上記投射レンズから投射された光が熱エネルギーとなって、レンズカバーに蓄熱が為されてレンズカバーを高温にして、変形させてしまうという問題がある。
【０００９】
ここで、レンズカバーを金属のような耐熱性ある材料で形成することも考えられる。しかし、金属でレンズカバーを形成した場合、投射型表示装置の駆動時に閉塞されたままの状態にされると、合成樹脂で形成されたレンズカバーより高温になるため、採用しがたい。金属の方が合成樹脂に比べ、熱伝導率が高いためである。
【００１０】
そこで、本発明は、高温になりにくいが熱変形を起こし易い合成樹脂を材料としながら、開放のし忘れ、或いは故障などによりレンズカバーが開口を閉塞した状態のまま、投射型表示装置が駆動されて投射レンズから光がレンズカバーに投射されてしまっても、レンズカバーが熱により変形してしまわないようにすることを課題とする。
【００１１】
【課題を解決するための手段】
そこで、本発明レンズカバーは、上記した課題を解決するために、合成樹脂で形成されたレンズカバーが投射レンズから投射された光の一部を透過させるようにしたものである。
【００１２】
また、本発明投射型表示装置は、上記した課題を解決するために、外筐の前面部に形成された開口を開閉するレンズカバーを合成樹脂で形成すると共に投射レンズから投射された光の一部を透過させるように形成したものである。
【００１３】
したがって、本発明レンズカバー及びこれを用いた投射型表示装置にあっては、レンズカバーを投射レンズから投射された光の一部を透過させるように形成したので、レンズカバーに光が照射されても、その光の一部しか熱エネルギーとはならず、よって、レンズカバーに蓄熱が為されることがない。
【００１４】
【発明の実施の形態】
以下に、本発明レンズカバー及びこれを備えた投射型表示装置の各実施の形態を添付図面を参照して説明する。
【００１５】
図１乃至図８は本発明レンズカバー及びこれを備えた投射型表示装置の第１の実施の形態を示すものである。
【００１６】
投射型表示装置１は上下方向に扁平な箱状を成す外筐２内に所要の部品及び部材が配置されて成り、外筐２の前面部である前面パネル３には後述する投射レンズの前玉レンズを外部に臨ませる開口４が形成されている（図１参照）。
【００１７】
また、外筐２の左側面パネル５には後述するように投射型表示装置１のフォーカシング及びズーミングを行うための操作部が配置される（図１参照）。
【００１８】
先ず、図２を参照して、本発明投射型表示装置の全体の概要を説明する。
【００１９】
外筐２の一の隅部には光源部１１が配置され、該光源部１１は光源１２とリフレクタ１３を有する（図２参照）。
【００２０】
リフレクタ１３の反射面は回転楕円面に形成され、該反射面の第１焦点位置に光源１２の発光部が位置される（図２参照）。
【００２１】
リフレクタ１３の前方には凹レンズ１４が配置され、該凹レンズ１４の焦点が反射面の第２焦点に位置するようにされる。これによって、光源１２から出射しリフレクタ１３の反射面で反射された光は凹レンズ１４によって光軸に平行な光束として出射される。なお、リフレクタ１３は硬質ガラスで形成された基体の内面にアルミ蒸着等の適宜手段によって反射膜が形成されて成る。また、光源１２には放電ランプが使用されている。
【００２２】
凹レンズ１４から出射された光は２つのダイクロイックミラー１５Ｒ、１５Ｇによって、Ｒ（赤色）、Ｇ（緑色）、Ｂ（青色）の３色の色成分に分離された後変調手段としての液晶パネル１６Ｒ、１６Ｇ、１６Ｂによって各色ごとに変調され、変調された各色の色成分がクロスプリズム１７によって合成されて投射レンズ１８によって外筐２の前面パネル３に設けられた上記開口４から前方の図示しないスクリーンに投射され、これによってスクリーン上に映像が表示される。
【００２３】
すなわち、凹レンズ１４から出射された光は先ずダイクロイックミラー１５Ｒによって赤色成分Ｒが反射され、該反射された赤色成分は全反射ミラー１９によって全反射されて液晶パネル１６Ｒに入射され、該液晶パネル１６Ｒに印加される赤色成分に関する映像信号によって変調された後クロスプリズム１７に入射される（図２参照）。
【００２４】
また、ダイクロイックミラー１５Ｒを透過した光のうち緑色成分Ｇはダイクロイックミラー１５Ｇによって反射されて液晶パネル１６Ｇに入力され、該液晶パネル１６Ｇに印加される緑色成分に関する映像信号によって変調された後クロスプリズム１７に入射される（図２参照）。
【００２５】
さらに、ダイクロイックミラー１５Ｇを透過した青色成分Ｂは全反射ミラー２０、２１で順次全反射された後液晶パネル１６Ｂに入力され、該液晶パネル１６Ｂに印加される青色成分に関する映像信号によって変調された後クロスプリズム１７に入射される（図２参照）。そして、クロスプリズム１７に入力された各色成分Ｒ、Ｇ、Ｂはクロスプリズム１７で合成された後クロスプリズム１７の正面から出射され、そして、投射レンズ１８によって前方へ投射される（図２参照）。
【００２６】
なお、上記光源１２から投射レンズ１８に至るまでの経路には、強度分布を有する放電ランプから出射された光の輝度を液晶パネル１６Ｒ、１６Ｇ、１６Ｂの画面全体に亘って均一にする手段、各種リレーレンズ等種々の目的を有する光学素子が配置されるが、それらは設計上の問題であり、本発明の主題ではないので、図２には主たる構成要素のみを示すに止める。
【００２７】
なお、この実施の形態にあっては、光源１２に放電ランプを使用したものについて説明したが、本発明はこれに限らず、種々の形態のランプ、例えば、各種の白熱ランプ、キセノンランプ、ハロゲンランプ等を使用することができる。
【００２８】
また、この実施の形態にあっては、変調手段に液晶パネルを使用したものについて説明したが、本発明はこれに限らず、種々の形態のライトバルブと称されるもの、例えば、ＧＬＶ（Ｇｒａｔｉｎｇ　Ｌｉｇｈｔ　Ｖａｌｖｅ）、ＤＭＤ（Ｄｉｇｉｔａｌ　Ｍｉｃｒｏｍｉｒｒｏｒ
Ｄｅｖｉｃｅ）等を使用することができる。
【００２９】
上記投射レンズ１８は、レンズ鏡筒３０内に所要のレンズ（図示は省略する。）が配置されて構成され、その最も前側に前玉レンズ３１が配置されている。
【００３０】
そして、レンズ鏡筒３０の前側部分の外周面には、フォーカスリング３２と該フォーカスリング３２の後方に配置されたズームリング３３とが回転自在に設けられている（図３参照）。
【００３１】
フォーカスリング３２は、これを回転させることにより投射レンズ１８のうちフォーカシングを行う所要のレンズ又はレンズ群を移動させてフォーカシングを行うためのものである（図３参照）。
【００３２】
ズームリング３３は、これを回転させることにより投射レンズ１８のうちズーミングを行う所要のレンズ又はレンズ群を移動させてズーミングを行うためのものである（図３参照）。
【００３３】
フォーカスリング３２にはその外周面の正面形状で見て左側半分のうち上下方向における中心を挟んでほぼ９０°の範囲に亘ってその周方向に複数の歯部３４、３４、・・・が形成されている（図３参照）。
【００３４】
ズームリング３３は上記フォーカスリング３２とほぼ同じ形状に形成されており、その外周面の正面形状で見て左側半分のうち上下方向における中心を挟んでほぼ９０°の範囲に亘ってその周方向に複数の歯部３５、３５、・・・が形成されている（図３参照）。
【００３５】
上記レンズ鏡筒３０の前部と外筐の左側面パネル５との間には上記フォーカスリング３２及びズームリング３３を操作するための各別の操作部材４０ｆ、４０ｚが配置されている（図３参照）。
【００３６】
フォーカスリング３２を操作する操作部材４０ｆをフォーカシング用操作部材といい、ズームリング３３を操作する操作部材４０ｚをズーミング用操作部材という。
【００３７】
フォーカシング用操作部材４０ｆとズーミング用操作部材４０ｚは、ほぼ同じ形状に形成されているため、フォーカシング用操作部材４０ｆについて主に説明する。また、フォーカシング用操作部材及びこれに関する各部の符号には数字の後に「ｆ」を添え字として付し、ズーミング用操作部材及びこれに関する各部の符号には、フォーカシング用操作部材及びこれに関する各部に用いた符号のうち「ｆ」を除いた数字の後に「ｚ」を添え字として付す。これにより、ズーミング用操作部材４０ｚについての説明は省略する。
【００３８】
フォーカシング用操作部材４０ｆはほぼ環状を為す部材からなり、その正面形状で見て左側半分４１ｆの径が右側半分４２ｆの径よりも大きく形成されている（図４参照）。
【００３９】
フォーカシング用操作部材４０ｆの左側半分４１ｆの外周面にはローレット加工が施されて操作部４３ｆとされ、また、右側半分４２ｆの外周面には上記フォーカスリング３２の歯部３４、３４、・・・と同じ形状の複数の歯部４４ｆ、４４ｆ、・・・が形成されている（図４、図７参照）。
【００４０】
このようなフォーカシング用操作部材４０ｆは上記レンズ鏡筒３０の前部と外筐２の左側面パネル５との間に設けられた支持ベース５０に回転自在に支持され、上記右側半分４２ｆの歯部４４ｆ、４４ｆ、・・・が上記フォーカスリング３２の歯部３４、３４、・・・と噛合されている（図４、図７参照）。
【００４１】
フォーカシング用操作部材４０ｆの中心部には円形の被支持孔４５ｆが形成されている。この被支持孔４５ｆは右側半分４２ｆの半径のほぼ半分の半径で形成されており、これにより、フォーカシング用操作部材４０ｆの全体がほぼ環状を為す部材となっている。
【００４２】
支持ベース５０は図示しないシャーシに取り付けられたベース部５１と該ベース部５１の上面から上方へ一体に突出された板状の支持部５２とからなる（図５、図６参照）。
【００４３】
支持部５２はその面方向が上記前面パネル３と平行になるように配置され、開口５３が形成されており、該開口５３の開口縁部のうち左部及び右部には前方へ突出した支持片５４ｌ、５４ｒが、また、開口５３の開口縁部のうち上部及び下部には後方へ突出した支持片５４ｕ、５４ｄがそれぞれ形成されている（図５、図６参照）。
【００４４】
これら支持片５４、５４、・・・は、正面形状で見て上記開口５３とほぼ同じ曲率の円弧状に形成され、それぞれの先端部に外方に突出する向きの係止爪５５、５５、・・・がそれぞれ形成されている（図５、図６参照）。
【００４５】
これら支持片５４、５４、・・・のうち対向するもの同士の外側面を周方向に延長してできる円の曲率は、上記フォーカシング用操作部材４０ｆ及びズーミング用操作部材４０ｚの被支持孔４５ｆ、４５ｚとほぼ同じに形成されている（図７参照）。
【００４６】
そして、前方に突出した２つの支持片５４ｌ、５４ｒをフォーカシング用操作部材４０ｆの被支持孔４５ｆに内嵌させることにより、フォーカシング用操作部材４０ｆが２つの支持片５４ｌ、５４ｒに回転自在に支持される。このとき、２つの支持片５４ｌ、５４ｒをその係止爪５５と５５とを互いに近づく方向にやや撓ませることにより、フォーカシング用操作部材４０ｆを支持片５４ｌ、５４ｒに嵌合することができる（図７参照）。
【００４７】
フォーカシング用操作部材４０ｆの支持片５４ｌ、５４ｒへの嵌合が終了した後、支持片５４ｌ、５４ｒを撓ませていた力を取り除くことにより、上記係止爪５５、５５がフォーカシング用操作部材４０ｆの被支持孔４５ｆの開口縁に係止され、フォーカシング用操作部材４０ｆの前方への抜けが防止される（図７参照）。
【００４８】
また、後方に突出した２つの支持片５４ｕ、５４ｄをズーミング用操作部材４０ｚの被支持孔４５ｚに内嵌させることにより、ズーミング用操作部材４０ｚが２つの支持片５４ｕ、５４ｄに回転自在に支持される。このとき、２つの支持片５４ｕ、５４ｄをその係止爪５５と５５とを互いに近づく方向にやや撓ませることにより、ズーミング用操作部材４０ｚを支持片５４ｕ、５４ｄに嵌合することができる（図７参照）。
【００４９】
ズーミング用操作部材４０ｚの支持片５４ｕ、５４ｄへの嵌合が終了した後、支持片５４ｕ、５４ｄを撓ませていた力を取り除くことにより、上記係止爪５５、５５がズーミング用操作部材４０ｚの被支持孔４５ｚの周縁に係止され、ズーミング用操作部材４０ｚの後方への抜けが防止される（図７参照）。
【００５０】
このように２つの対向する支持片５４ｌと５４ｒ及び５４ｕと５４ｄは、フォーカシング用操作部材４０ｆ及びズーミング用操作部材４０ｚを回転自在に支持する支持軸として機能する。
【００５１】
そして、フォーカシング用操作部材４０ｆ及びズーミング用操作部材４０ｚの被支持孔４５ｆ、４５ｚを可能な限り大きく形成したので、これらを支持する支持軸として機能する支持片５４ｌと５４ｒ及び５４ｕと５４ｄの外径を大きくすることができ、フォーカシング用操作部材４０ｆ及びズーミング用操作部材４０ｚの回転を安定にすることができる。
【００５２】
すなわち、支持軸を大きくすることは、これに回動自在に支持される部材（この例ではフォーカシング用操作部材４０ｆ及びズーミング用操作部材４０ｚ）の外周縁部における軸方向のブレを小さくすることができるからである。
【００５３】
なお、本発明はこのように回転軸の径を大きくしたものに限定されるものでなく、回転軸の径を細いものにすることもでき、この場合、操作部材４０ｆ、４０ｚは円盤状の部材で形成すれば良い。
【００５４】
また、上記支持片５４、５４、・・・に嵌合されたフォーカシング用操作部材４０ｆ及びズーミング用操作部材４０ｚは各支持片５４、５４、・・・の先端に設けられた係止爪５５、５５によりほぼがたつきがない状態で前後方向の位置決めが為されるとともに、その抜け止めが為される。また、上記支持片５４ｌと５４ｒ及び５４ｕと５４ｄの外径を上記被支持孔４５ｆ、４５ｚの内径よりも僅かに大きく形成しておくことにより各支持片５４、５４、・・・と被支持孔４５ｆ、４５ｚの内周面とを弾接させることができ、さらにフォーカシング用操作部材４０ｆ及びズーミング用操作部材４０ｚのガタツキをなくすことができる。
【００５５】
そして、支持片５４ｌ、５４ｒ又は５４ｕ、５４ｄに回転自在に支持された各フォーカシング用操作部材４０ｆ又はズーミング用操作部材４０ｚはその右側半分４２ｆ又は４２ｚに形成された歯部４４ｆ、４４ｆ、・・・又は４４ｚ、４４ｚ、・・・が上記フォーカスリング３２又はズームリング３３に形成された歯部３４、３４、・・・又は３５、３５、・・・にそれぞれ噛合されている（図７参照）。
【００５６】
各フォーカシング用操作部材４０ｆ又はズーミング用操作部材４０ｚの左側部分４１ｆ又は４１ｚの外周面の一部が左側面パネル５に形成された縦長な矩形をした操作窓６から外側に露出されている（図１、図３、図４参照）。
【００５７】
また、操作窓６の横幅は上記２つの操作部材（フォーカシング用操作部材４０ｆ及びズーミング用操作部材４０ｚ）が共に露出できる大きさに形成されている（図３参照）。なお、この操作窓６は各操作部材４０ｆ、４０ｚ毎に対応するように各別に設けるようにしても良い。
【００５８】
フォーカシング用操作部材４０ｆ及びズーミング用操作部材４０ｚはその左側半分４１ｆ、４１ｚの左端が左側面パネル５の外表面とほぼ同一な面内に位置するように、上記操作窓６から露出されている（図３参照）。
【００５９】
左側面パネル５に形成された操作窓６は、その各周縁６ａ、６ａ、・・・が外側に行くに従い広がるようにテーパ状にそれぞれ形成されており、これにより、フォーカシング用操作部材４０ｆ及びズーミング用操作部材４０ｚを操作し易くなっている。
【００６０】
そして、フォーカシング用操作部材４０ｆ又はズーミング用操作部材４０ｚを回転させることにより、上記各フォーカスリング３２又はズームリング３３を回転させて、フォーカシング又はズーミングが行われる。
【００６１】
上記前面パネル３の開口４は、該開口４より一回り大きなレンズカバー６０により開閉される（図１参照）。
【００６２】
レンズカバー６０は、透明な合成樹脂、例えば、ポリカーボネート（ＰＣ：Ｐｏｌｙｃａｒｂｏｎａｔｅ）で形成された板状部材６１と該板状部材６１の表面に形成された半透明な塗膜６２とから成る（図８参照）。この塗膜６２は、これに照射された光のうちほぼ半分の光量が透過するように形成される（図８参照）。
【００６３】
また、レンズカバー６０にあっては塗膜６２を板状部材６１の前玉レンズ３１に対向する面と反対側の面、すなわち、外面に形成したが、これに限らず、塗膜６２を前玉レンズ３１に対向する面（内面）に形成しても良いし、或いは、上記板状部材６１の両面に形成しても良い。
【００６４】
レンズカバー６０は、上記前面パネル３の前方から見て開口４の右斜め上方の位置に設けられた支持軸６３に支持されている（図１参照）。
【００６５】
支持軸６３は図示しない回転機構により所定角度回動するようになっており、この回動により、上記レンズカバー６０は上記開口４を閉塞した位置と開放した位置との間を回動するようになっている（図１参照）。
【００６６】
そして、レンズカバー６０が上記開口４を閉塞した位置にあるときは、上記前玉レンズ３１を保護する。
【００６７】
そして、誤って、或いは開閉機構の故障などによりレンズカバー６０が開口４を閉塞した状態のまま、投射型表示装置１の光源部１１からの光がレンズカバー６０に投射されても、そのうちのほぼ半分の光量は塗膜６２を透過して前方へ出射されるため、レンズカバー６０への蓄熱の原因になる熱エネルギーを低減することができる。
【００６８】
これにより、レンズカバー６０に透過した光エネルギーに相当する分の蓄熱が為されることがなく、よって、不透明な材料で形成した従来のレンズカバーに比べて、高温になることはなく、熱変形することはない。
【００６９】
また、レンズカバー６０を単なる透明部材で形成した場合、開口４を開放した状態か閉塞した状態であるかを一見して判断しにくいが、この実施の形態にかかるレンズカバー６０のように、半透明な塗膜６２を形成しておくことにより、上記開口４を開放している位置にあるのか又は閉塞している位置にあるのかを一見しただけで判別することができ、例えば、レンズカバー６０が開口４を閉塞している状態で投射型表示装置１の電源スイッチを投入してしまうなどの誤操作を防止することができる。
【００７０】
図９は本発明レンズカバーの第２の実施の形態を示すものである。
【００７１】
この第２の実施の形態にかかるレンズカバー６０Ａは透明な合成樹脂から成る板状部材６１に塗膜６２を形成したレンズカバー６０と比較して、透明な合成樹脂から成る板状部材６４の表面に微少な凹凸６５、６５、・・・を形成した点で相違する（図９参照）。
【００７２】
この第２の実施の形態にかかるレンズカバー６０Ａにあっても、誤って、或いは開閉機構の故障などによりレンズカバー６０Ａが開口４を閉塞している状態のまま、投射型表示装置１の光源部１１からの光がレンズカバー６０Ａに投射されても、その投射された光の一部は凹凸６５、６５、・・・から前方へ透過されるため、レンズカバー６０Ａへの蓄熱の原因になる熱エネルギーを低減することができる（図９参照）。
【００７３】
また、このレンズカバー６０Ａは透明な合成樹脂の板状部材６４を用いているが、微少な凹凸６５、６５、・・・が形成されているので、上記開口４を開放している位置にあるのか又は閉塞している位置にあるのかを一見しただけで判別することができ、例えば、レンズカバー６０Ａが開口４を閉塞している状態で投射型表示装置１の電源スイッチを投入してしまうなどの誤操作を防止することができる。
【００７４】
さらに、この第２の実施の形態にかかるレンズカバー６０Ａにあっては、上記第１の実施の形態にかかるレンズカバー６０のように塗装工程が不要であり、レンズカバー６０Ａを金型で成形するときに同時に微少な凹凸６５、６５、・・・を形成することができ、その分、製造コストを抑えることができる。
【００７５】
なお、レンズカバー６０Ａにあっては凹凸６５、６５、・・・を板状部材６４の前玉レンズ３１に対向する面と反対側の面、すなわち、外面に形成したが、これに限らず、凹凸６５、６５、・・・を前玉レンズ３１に対向する面（内面）に形成しても良いし、或いは、上記板状部材６４の両面に形成しても良い。
【００７６】
図１０は本発明レンズカバーの第３の実施の形態を示すものである。
【００７７】
この第３の実施の形態にかかるレンズカバー６０Ｂは透明な合成樹脂から成る板状部材６１に塗膜６２を形成したレンズカバー６０と比較して、半透明な合成樹脂でレンズカバー６０Ｂを形成した点で相違する（図１０参照）。
【００７８】
この第３の実施の形態にかかるレンズカバー６０Ｂにあっても、誤って、或いは開閉機構の故障などによりレンズカバー６０Ｂが開口４を閉塞した状態のまま、投射型表示装置１の光源部１１からの光がレンズカバー６０Ｂに照射されても、その照射された光の一部は半透明な合成樹脂内を透過して前方へ透過されるため、レンズカバー６０Ｂへの蓄熱の原因になる熱エネルギーを低減することができる（図１０参照）。
【００７９】
また、このレンズカバー６０Ｂは半透明な合成樹脂で形成されているので、上記開口４を開放している位置にあるのか又は閉塞している位置にあるのかを一見しただけで判別することができ、例えば、レンズカバー６０Ｂが開口４を閉塞している状態で投射型表示装置１の電源スイッチを投入してしまうなどの誤操作を防止することができる。
【００８０】
さらに、この第３の実施の形態にかかるレンズカバー６０Ｂにあっては、半透明な合成樹脂を金型で成形するだけで形成することができ、上記第１の実施の形態にかかるレンズカバー６０のような塗装工程が不要であり、その分、製造コストを抑えることができる。
【００８１】
なお、上記各実施の形態においては、レンズカバー６０を前面パネル３に対して回動自在に支持したものについて説明したが、本発明はこれに限らず、図１１に示すレンズカバー６０Ｃのように、前面パネル３に対してスライド自在に支持するようにしても良い。もちろん、この場合でも、レンズカバー６０Ｃの開閉機構は、手動開閉タイプのものであっても良いし、また、自動開閉タイプのものであっても良い。
【００８２】
また、上記各実施の形態において、レンズカバーに投射された光の一部を透過させるようにするため、半透明な塗膜を形成したり、微少な凹凸を形成したり、半透明な合成樹脂で形成したりしたものを示したが、本発明はこれに限らず、例えば、透明な合成樹脂で形成した基材に熱線である赤外線のみを透過する膜を形成したようなものであっても良い。
【００８３】
さらに、上記各実施の形態において示した各部の具体的な形状乃至構造は、何れも本発明を実施するに当たって行う具体化のほんの一例を示したものに過ぎず、これらによって本発明の技術的範囲が限定的に解釈されることがあってはならないものである。
【００８４】
【発明の効果】
以上に記載したところから明らかなように、本発明レンズカバーは、投射型表示装置における投射レンズの前玉レンズを外部に臨ませる開口を有する外筐の前面部に支持され上記開口を開閉するレンズカバーであって、投射レンズから投射された光の一部を透過させるようにしたことを特徴とする。
【００８５】
また、本発明投射型表示装置は、光源部と、該光源部から照射された光を画像信号によって変調する変調手段と、該変調手段によって変調された光を投射する投射レンズと、これらを覆うと共に上記投射レンズの前玉レンズを外部に臨ませる開口が形成された前面部を有する外筐とを備えた投射型表示装置であって、上記外筐の前面部には上記開口を開閉するレンズカバーが支持されており、上記レンズカバーを投射レンズから投射された光の一部を透過させるように形成したことを特徴とする。
【００８６】
したがって、本発明レンズカバー及びこれを用いた投射型表示装置にあっては、レンズカバーを投射レンズから投射された光の一部を透過させるように形成したので、レンズカバーに光が照射されても、その光の一部しか熱エネルギーとはならず、よって、レンズカバーへの蓄熱が低減され、レンズカバーが熱で変形されることはない。
【００８７】
請求項２及び請求項６に記載した発明にあっては、レンズカバーを透明な合成樹脂で形成すると共に、上記前玉レンズに対向する部分及び／又はその外側の部分に半透明な塗膜を形成したので、レンズカバーに光が照射されても、その光の一部は半透明な塗膜を透過して前方へ照射されるため、レンズカバーへの蓄熱が低減され、レンズカバーが熱で変形されることはない。
【００８８】
また、レンズカバーに半透明な塗膜が形成されているので、透明なものと異なり、レンズカバーが開口を開放している位置にあるのか又は閉塞している位置にあるのかを一見しただけで判別することができ、例えば、レンズカバーが開口を閉塞している状態で投射型表示装置の電源スイッチを投入してしまうなどの誤操作を防止することができる。
【００８９】
請求項３及び請求項７に記載した発明にあっては、レンズカバーを透明な合成樹脂で形成すると共に、上記前玉レンズに対向する部分及び／又はその外側の部分に微少な凹凸を形成したので、レンズカバーに光が照射されても、その光の一部又は全部はレンズカバーを透過して前方へ照射されるため、レンズカバーへの蓄熱が低減され、レンズカバーが熱で変形されることはない。
【００９０】
また、レンズカバーに微少な凹凸が形成されているので、単なる透明で且つ平板状のものと異なり、レンズカバーが開口を開放している位置にあるのか又は閉塞している位置にあるのかを一見しただけで判別することができ、例えば、レンズカバーが開口を閉塞している状態で投射型表示装置の電源スイッチを投入してしまうなどの誤操作を防止することができる。
【００９１】
さらに、レンズカバーに微少な凹凸を形成しただけであるので、レンズカバーを金型で成形するときに同時に微少な凹凸を形成することができ、塗装工程などの別工程が不要であり、その分、製造コストを抑えることができる。
【００９２】
請求項４及び請求項８に記載した発明にあっては、レンズカバーを半透明な合成樹脂で形成したので、レンズカバーに光が照射されても、その光の一部は半透明なレンズカバーを透過して前方へ照射されるため、レンズカバーへの蓄熱が低減され、レンズカバーが熱で変形されることはない。
【００９３】
また、レンズカバーは半透明な合成樹脂で形成されているので、透明なものと異なり、レンズカバーが開口を開放している位置にあるのか又は閉塞している位置にあるのかを一見しただけで判別することができ、例えば、レンズカバーが開口を閉塞している状態で投射型表示装置の電源スイッチを投入してしまうなどの誤操作を防止することができる。
【００９４】
さらに、レンズカバーを半透明な合成樹脂で形成したので、塗装工程などの別工程が不要であり、その分、製造コストを抑えることができる。
【図面の簡単な説明】
【図１】図２乃至図８と共に本発明レンズカバー及びこれを用いた投射型表示装置の第１の実施の形態を示すものであり、本図は全体の斜視図である。
【図２】投射型表示装置の概要を説明するための全体構成図である。
【図３】レンズ鏡筒の周辺を拡大して示す平面図である。
【図４】レンズ鏡筒の周辺の正面図である。
【図５】支持ベースの前方から見た斜視図である。
【図６】支持ベースの後方から見た斜視図である。
【図７】支持ベースと操作部材とを分離して示す斜視図である。
【図８】レンズカバーの拡大断面図である。
【図９】本発明レンズカバーの第２の実施の形態を示すものであり、レンズカバーの拡大断面図である。
【図１０】本発明レンズカバーの第３の実施の形態を示すものであり、レンズカバーの拡大断面図である。
【図１１】レンズカバーの別の例を概略的に示す正面図である。
【符号の説明】
１…投射型表示装置、２…外筐、３…前面パネル（前面部）、４…開口、１１…光源部、１６Ｒ…液晶パネル（変調手段）、１６Ｇ…液晶パネル（変調手段）、１６Ｂ…液晶パネル（変調手段）、１８…投射レンズ、３１…前玉レンズ、６０…レンズカバー、６２…塗膜、６０Ａ…レンズカバー、６５…凹凸、６０Ｂ…レンズカバー、６０Ｃ…レンズカバー
【図１】
2004012972.tif 000003
【図２】
2004012972.tif 000004
【図３】
2004012972.tif 000005
【図４】
2004012972.tif 000006
【図５】
2004012972.tif 000007
【図６】
2004012972.tif 000008
【図７】
2004012972.tif 000009
【図８】
2004012972.tif 000010
【図９】
2004012972.tif 000011
【図１０】
2004012972.tif 000012
【図１１】
2004012972.tif 000013